(57)【要約】【課題】  １種類の帽子で複数の形態に、簡単に変えることができると共に、ネックウォーマーとしても活用できる形態変化自在帽の提供を目的とする。【解決手段】  伸縮性のある布状物よりなり、その両端を開放した筒状本体の一端側に、軟質性の線材を設けることで形態変化自在帽とした。  線材は、変化させた形態を維持したり、元の形に戻したりすることのできる軟質性の線材であり、この線材を変形させて複数の形態を得るものである。【選択図】図１
2009293171.tif 000002
【特許請求の範囲】
【請求項１】
伸縮性のある布状物よりなり、その両端を開放した筒状本体と、
この筒状本体の一端側に設けると共に、変形させたその形態を維持したり、元の形に戻したりすることができる軟質性の線材とからなる形態変化自在帽。
【請求項２】
伸縮性のある布状物よりなり、その一端側の直径を他端側よりも大きく形成して、その両端を開放した筒状本体と、
この筒状本体の前記直径の大きな一端側に設けると共に、変化させたその形態を維持したり、元の形に戻したりすることができる軟質性の線材とからなる形態変化自在帽。
【請求項３】
伸縮性のある布状物よりなり、その両端を開放した筒状本体と、
この筒状本体の一端側で、この筒状本体の直径よりも大きく形成すると共に、変形させたその形を維持したり、元の形に戻したりすることができる軟質性の線材とからなる形態変化自在帽。
【発明の詳細な説明】
【技術分野】
【０００１】  本発明は、伸縮性のある布状物よりなり、その両端を開放した筒状本体の一端側に、軟質性の線材を配設し、この線材の形を変化させることによって、いろいろな形態の帽子に変わるように改善した形態変化自在帽に関する。
【背景技術】
【０００２】  開口部周囲に線材を配置した従来例の帽子としては、額の部分に吸水性パッドを内在させると共に、給水パッドが額に密接するように、針金で押える汗吸収パッド付手術用帽子がある。（例えば、特許文献１参照）
また庇部の周囲に金属線を設けて、そり返り等の変形を防止する型崩れしない帽子がある。（例えば、特許文献２参照）
更に、筒状本体の一端に紐状部材を設けて、帽子やネックウォーマーとして使用できる多用途ネックウォーマーがある。（例えば、特許文献３参照）
【特許文献１】  特開平１１−３１５４１１号公報（第２頁、図２）
【特許文献２】  実用新案登録第３０１４３２０号公報（第４頁、図２）
【特許文献３】  実用新案登録第３１０５２７１号（第４頁、図３）
【発明の開示】
【発明が解決しようとする課題】
【０００３】  特許文献１に示す汗吸収パッド付き手術用帽子は、帽子に設けた針金が、吸水性パッドを額に密着させるためのものであり、本願のように帽子の形態を変化させるものとは、その目的が全く異なる。
また、帽子の本体も、本願とは全く異なるものである。
特許文献２に示す型崩れしない帽子は、庇の周囲に金属線を配設して、庇の変形を防止するものであり、帽子の形はもとより金属線の配設目的も、積極的に帽子の形態を変える本願とは、全く異なるものである。
特許文献３に示す多用途ネックウォーマーは、その一端側に紐を設けて結束することで、帽子やネックウォーマーとして、両方に使用ができるようにしたものである。
特許文献１乃至特許文献３に示すものは、本願の如く帽子の形態を変化させて楽しむことはできなかった。
本願は、このような欠点を解消するためになされたものであり、１つの帽子で、その形を簡単に変えて楽しめるし、ネックウォーマーとしても使用できる有効な形態変化自在帽の提供を目的とする。
【発明を解決するための手段】
【０００４】  上記不具合を解決するために、本発明は次のような構成としている。
請求項１に記載した形態変化自在帽は、伸縮性のある布状物よりなりその両端を開放した筒状本体と、この筒状本体の一端側に設けると共に、変化させたその形態を維持したり、元の形に戻したりすることができる軟質性の線材とで形成した。
この形態変化自在帽によれば、頂部側が開放されて筒状本体の周囲には、軟質性の線材が配設されており、この線材を変形させて各種形態を作ることができる。
請求項２に記載した形態変形自在帽は、請求項１に記載した形態変化自在帽の一端側の直径を、他端側より大きくすると共に、この大きな直径の周囲に軟質性の線材を配設して形態変化自在帽とした。
このような形態変化自在帽によれば、頂部の直径を大きく設定したので、請求項１で得た形態を更に大きくしたり、請求項１ではできなかった他の形態を作ったりすることができる。
請求項３に記載した形態変化自在帽は、請求項１に記載した形態変化自在帽の筒状本体の直径は同じで、線材の直径のみを大きくすることで、請求項２による効果を得るようにしたものである。
このような形態変化自在帽は、線材部分を首周囲の下方部分に密着させると共に、顔面の一部を顔から少し離間した状態で、覆うことができるネックウォーマーとしても、使用することができる。
【発明の効果】
【０００５】  本発明によれば、筒状本体の一端側に軟質性の線材を配設したことにより、以下の効果を得ることができた。
すなわち、頭頂部が開放されて、頭の蒸れない帽子が得られると共に、軟質性の線材を変形させることにより、変化に富んだ形の帽子を得ることができた。
１つの帽子で、その場の雰囲気に合せて、変化させることができるから、楽しいだけでなく話題性に富んだ帽子でもある。
線材部分を下方にして用いると、身体上部に密着させたネックウォーマーとしても使えるので、外出先の気象の変化にも対応して、帽子からネックウォーマーに変えることができる等の大きな効果を得ることができた。
【発明を実施するための最良の形態】
【０００６】  本発明について、図面を参照して説明する。図１は本発明の形態変化自在帽を示す一部破断斜視図、図２は図１を分解して示す説明図である。
図１で示す形態変化自在帽１０は、主として外側を覆う筒状の布状物Ａ１３と、この布状物Ａの内周を覆う布状物Ｂ１４とからなる筒状本体１２と、この筒状本体の一端側に設けた軟質性の線材１８とからなる。
この線材１８は、筒状本体１２の一端に内在されて、外側から見えないように配設している。このような筒状本体１２と線材１８とについて、更に詳細に説明する。
筒状本体１２は、伸縮性のある布状物よりなり図１で示す例では、それぞれ色彩の異なる布状物Ａ１３と布状物Ｂ１４とからなり、その両端を開放した筒状に形成している。
布状物Ａ１３は、筒状本体１２の外側と内側の下半分を形成し、布状物Ｂ１４は、筒状本体１２の内側の残り上半分を形成している。
すなわち、図２で示すように布状物Ｂ１４は、筒状本体１２の略半分の高さ方向の幅を有し、その一端の周囲には、線材１８を内在している。
このような布状物Ｂ１４が、筒状本体１２の内側となるように、その外側には布状物Ａ１３で覆うように取付けている。この布状物Ａ１３は、布状物Ｂ１４の略３倍の高さ方向の幅を有しており、その組合せ方を説明する。【０００７】  図２で示す布状物Ｂ１４の下端Ｃと、同じく図２で示す布状物Ａ１３の上端Ｄとを縫合すると共に、布状物Ａ１３の下端Ｅを図中の矢印で示す方向に、折曲１５部分で折返す。
このような状態は、布状物Ａ１３の下端Ｅが、線材１８を挿入した布状物Ｂ１４の一部が、見える程度の位置に設定されることであり、両者を縫合して筒状本体１２を形成する。
このように筒状本体１２の内側を２色で形成すると共に、外側の色彩と内側の下半分を、同色にした理由について説明する。
この筒状本体部分を帽子として着用する際には、下側の部分を帯状に折返すことで、下端内側の生地が表側となるように、二重に形成して着用することになる。このような状態は、額を含めた頭の周囲に位置する生地の厚さが増して、安定した着用状態に設定することができるものである。
この折返し部分の色が異なると、色彩の種類が増えてしまうから、線材１８を変形させて作った形態を、目立たせなくする恐れが生じる。
線材１８は、筒状本体の上端部の形を変えるためのものであるから、各種の形態を作るために曲線状に変形させると、その形を維持することができると共に、維持した形から図１で示す元の形に戻すこともできる。このような変形を何度も行なうことができる軟質性の線材１８を用いている。
尚、この線材１８は、上述した作用が得られれば、被覆線やチューブを被せた線材でも良いことはもちろんである。【０００８】  このように構成した形態変化自在帽１０の使用例について説明する。図３は図１を耳付き帽子に変化させる説明図、図４は同じく角付き帽子とその変形例に変えた説明図である。
図３を参照して耳付き帽子２０の形成について説明する。
図１で示したように円筒状に形成した形態変化自在帽１０は、図３の（イ）で示すように、線材１８の取付側を頂部２２として、下端側の周囲を帯状に折返して、折返し２１を形成する。
この折返し２１部分が被る部分となると共に、点線で示す輪形の頂部２２側を、図中の矢印Ａで示す方向に押圧して、線材１８が略平行となるように設定する。一直線状に形成した頂部２２は、両耳と一致する方向に配置すると共に、（ロ）で示すように頂部２２を図中の矢印Ｂで示す方向に倒す。この倒す方向は額側とする。
このような状態から、倒した頂部２２の中央部を押えながら、その両端を引き起すようにして広げると、（ハ）で示す一対の耳２３を形成して耳付き帽子２０とすることができる。
前述したように頂部２２側の内側は、布状物Ｂ１４で形成し、筒状本体１２の外側を形成する布状物Ａ１３とは、色彩が異なっている。よって、耳２３の内部は帽子の外側とは色が異なり、目立つように形成しているから、デザインとしても面白いものが得られる。【０００９】  図４を参照して他の形態変化例を説明する。図４（イ）は帽子の左右頂部に、１対の角を設けた例である。
図４を参照して耳付き帽子２５の形成について説明する。
これらの形態は、前述した例と同様に図３の（ロ）を基本形とするものであり、折返し２６を設けることも同じである。図３の（ロ）で示したように、頂部２２を図中の矢印Ｂで倒した後に、その両端を捩り起すと、一対の角２７を形成することができる。
また捩る代りに、その両端が中央部で接合するように折り畳むと、折畳２９が形成された折畳帽子２８が得られる。
この形態変化自在帽１０は、図３の（ロ）で示した形を基本形として、いろいろな形に変えることができるものである。図３の（ロ）で示した頂部側の矢印Ｂで倒す方向を、両耳と一致するように説明したが、後頭部と額の方向に一致させて、形態を変化させることもできる。
更に、図３の（イ）に於いて、点線で示した輪形の複数個所、例えば直交する４個所を中心点に向って押圧すると、花びら形を形成したことになる。この花びらの内側にある布状物Ｂ１４が見えるように設定すると、１つの形態が得られる。【００１０】  この形態変化自在帽１０は、帽子だけでなくネックウォーマーとしても使用することができる。これについて以下に説明する。
形態変化自在帽１０は、筒状物として形成した理由で、この形を利用することによって、ネックウォーマーとして使用する。
線材１８側を下にして被せると共に、首の周囲に位置させる。この時、線材１８が首の下側である胸と背中に密着させると、ネックウォーマーの下側から冷気や冷たい風などが入ることも無く、暖かくて快適である。
また、線材１８側を上にして被せることによっても、ネックウォーマーとして使用できる。この場合は鼻を覆うように被せると共に、線材１８を利用して布面を顔面から少し離して位置させると、化粧がネックウォーマーにこすられたり、付着したりすることもないから、化粧が落ちる等の心配は無用である。
しかも、息苦しさもなくて、自分で出した温かい息によって、ネックウォーマー内は、適度な温度が保たれているから快適である。
このように、線材１８を設けたネックウォーマーは、単に紐などで結束したものよりも、すぐれた作用、効果を得ることができるものである。【００１１】  本発明の他の例の形態変化自在帽について、図面を参照して説明する。図５は本発明の他の例の形態変化自在帽を示す説明図である。
図５で示す形態変化自在帽３０は、図１で示した例と同様に、主として外側を覆う筒状の布状物Ａ３３と、この布状物Ａの内側に位置すると共に、布状物Ａ３３とは色彩の異なる布状物Ｂ３４とからなる。これらの布状物Ａ３３と、布状物Ｂ３４との配設位置や配色割合などは、前述例と同じとした筒状本体３２であり、その頂部側に線材３８を設けることも同じである。
図１で示す例との相違点は、筒状本体３２の形が逆円錐台の筒状であり、線材取付側の直径を下側よりも大きくした点が特徴である。
従って、線材３８もその直径に合せて大きくしており、材質や作用は図１の例と同じである。
このように構成した形態変化自在帽３０によれば、図１を用いて示した形態変化の頭部の形を更に大きくできて、その変化を特徴づけることができるし、大きな輪形を利用して、更に変化に富んだ形態を得ることができる。【００１２】  本発明のその他の例の形態変化自在帽について説明する。本発明のその他の例の形態変化自在帽４０は、図示しないが図１で示した筒状本体１２に、図５で示した線材３８を取付けたものである。
筒状本体１２は伸縮性のある布状物であるから、その特徴を生かして布状物を伸ばした状態で、かつ、筒状本体１２の直径よりも大きな直径に形成した線材３８を取付けることができることを利用したものである。
このような形態変化自在帽４０によれば、図５で示した形態変化自在帽３０と同様に、使用することができるものである。
また、線材３８部分を下側にして被ると、伸びた線材挿入部分が庇状に広がるので、頭頂部を開放した鍔付きの帽子として、使用することができる。
更に、筒状本体１２を二重にして形成したが、伸縮性のある布状物を夏向きの布状物にした一重で筒状本体を形成すると共に、この筒状本体の直径よりも大きな直径を持つ線材を取付けることにより、夏向きの帽子が得られる。
夏向きの布状物とは、布目が荒くて通風も良く、しかも日除け効果のある布状物を用いると、頭部が涼しく日除け帽子として活用できる効果も得られる。【００１３】  各実施例で説明したように、形態変化自在帽の大きな特徴は筒形であるために、いろいろな形態を形造りながらも、頂部の開口から髪型の一部、例えばポニーテールなどのように長く垂らした髪やアップに結った部分等を露出させるようにした帽子としても利用できる。
また、本発明の形態変化自在帽を複数同時に使用して、１つは帽子に、もう１つはネックウォーマーとすれば、寒さ対策やお洒落としては万全である。
尚、本発明品で各種の形態を形造った後で、安全ピンなどで形くずれが生じないようにしたり、特に図３の（イ）又は（ロ）で示した状態で、頂部中央を固着したりすると、その形態を保つことができるものである。
【図面の簡単な説明】
【００１４】
【図１】  本発明の形態変化自在帽を示す一部破断斜視図である。
【図２】  図１を分解して示す説明図である。
【図３】  図１を耳付き帽子に変化させる説明図である。
【図４】  図１を角付き帽子とその変形例に変えた説明図である。
【図５】  本発明の他の例の形態変化自在帽を示す一部破断斜視図である。
【符号の説明】
【００１５】１０  形態変化自在帽
１２  筒状本体
１３  布状物Ａ
１４  布状物Ｂ
１８  線材
２０  耳付き帽子
２３  耳
２５  角付き帽子
２７  角
３０  形態変化自在帽
３２  筒状本体
３８  線材
【図１】
2009293171.tif 000003
【図２】
2009293171.tif 000004
【図３】
2009293171.tif 000005
【図４】
2009293171.tif 000006
【図５】
2009293171.tif 000007